(57)【要約】【課題】  ガスタービンエンジン用のシールアセンブリを提供する。【解決手段】  ガスタービンエンジン用のシールアセンブリであって、炭素材料で形成されたシールと、シールに対して回転するように配置されたシールシートであって、シールおよびシールシートがそれぞれ一緒になって摺動シールを画定するシール面を有し、少なくともシールシートのシール面が、シールのシール面と同じ炭素材料で作られている、シールシートとを有したシールアセンブリ。【選択図】図４
2020045902.tif 000002
【特許請求の範囲】
【請求項１】
ガスタービンエンジン用のシールアセンブリであって、
炭素材料を含むシールと、
前記シールに対して回転するように配置されたシールシートであって、前記シールおよび前記シールシートがそれぞれ一緒になって摺動シールを画定するシール面を有し、少なくとも前記シールシートの前記シール面が、前記シールの前記シール面と同じ炭素材料で作られている、シールシートと、
を備えた、シールアセンブリ。
【請求項２】
前記シールシートが、凹部領域と、前記凹部に取り付けられた炭素系ブロックとを有し、前記炭素系ブロックが、前記シールシートの前記シール面を画定する、請求項１に記載のシールアセンブリ。
【請求項３】
前記シールシート自体が、前記シールと適合する炭素系材料を含む、請求項１に記載のシールアセンブリ。
【請求項４】
前記シールおよび前記シールシートの前記シール面が、エレクトログラファイト級の炭素、炭素−グラファイト級の炭素、およびこれらの組み合わせからなる群から選択される同じ材料である、請求項１に記載のシールアセンブリ。
【請求項５】
前記シールおよび前記シールシートの前記シール面が、０．１未満の摩擦係数を示す、請求項１に記載のシールアセンブリ。
【発明の詳細な説明】
【技術分野】
【０００１】
（関連出願の相互参照）
２０１８年９月１９日出願の「ＬＯＷ  ＦＲＩＣＴＩＯＮ  ＣＡＲＢＯＮ−ＣＡＲＢＯＮ  ＳＥＡＬ  ＡＳＳＥＭＢＬＹ」と題される米国特許出願第６２／７３３，５９８号の利益が主張されており、この米国特許出願の開示は、参照によってその全体が本明細書にそのまま明記されているかのように組み込まれる。
【０００２】
本開示は、シールアセンブリに関し、より詳細には、ガスタービンエンジン用のベアリングシールに関する。
【背景技術】
【０００３】
ガスタービンエンジンは、オイルの漏れを防ぐためにシールされる必要があるベアリングの固定構成要素内に取り付けられた回転要素を有する。このようなシールは、ベアリングシールまたはオイルシールとして知られている。そのような目的のためのシールの一形態は炭素シールであり、この場合は、炭素材料シールが回転要素の周りにまたは回転要素に対して密接に配置される。このようなシールは、最初に作動したときに、炭素シールからシールアセンブリの回転要素またはシートに炭素が移動して、シート上に炭素の膜を形成する。この膜は、許容可能な低摩擦係数で動作している間に、シールとシートとの間のオイルの漏れが防止されるように、シールとの摩擦係数を低くすることが意図されている。
【発明の概要】
【発明が解決しようとする課題】
【０００４】
膜が形成されるこの動作期間は、シールの慣らし段階と呼ばれる。慣らし中に過度の摩擦が発生することがあり、結果として、シールのパーツが過度に摩耗し、シールまたはシートの位置で過度の熱が起こり得るなどの問題を招く。この問題は、高速でかつ比較的低い圧力で動作するシールでは一層深刻であり、摩擦によりすでに高い温度をさらに増加させるおそれがある。本開示は、この問題に対処するものである。
【課題を解決するための手段】
【０００５】
本開示においては、炭素材料を含むシールと、シールに対して回転するように配置されたシールシートであって、シールおよびシールシートがそれぞれ一緒になって摺動シールを画定するシール面を有し、少なくともシールシートのシール面が、シールのシール面と同じ炭素材料で作られている、シールシートとを備えたガスタービンエンジン用のシールアセンブリが提供される。
【０００６】
別の非限定的な実施形態では、シールシートが、凹部領域と、凹部に取り付けられた炭素系ブロックとを有し、炭素系ブロックが、シールシートのシール面を画定する。さらに別の非限定的な実施形態では、シールシート自体が、シールと適合する炭素系材料を含む。
【０００７】
さらなる非限定的な実施形態では、シールおよびシールシートのシール面が、エレクトログラファイト級の炭素、炭素−グラファイト級の炭素、およびこれらの組み合わせからなる群から選択される同じ材料である。
【０００８】
さらにさらなる非限定的な実施形態では、シールおよびシールシートのシール面が、０．１未満の摩擦係数を示す。
【０００９】
開示されたシールアセンブリの他の詳細は、以下の詳細な説明および添付の図面に明記され、図面中、同様の参照番号は同様の要素を示している。
【図面の簡単な説明】
【００１０】
【図１】ガスタービンエンジンの一部の簡略化された断面図である。
【図２】ガスタービンエンジン用の従来技術のシールアセンブリの簡略化された断面図である。
【図３】慣らし運転およびその後の定常状態運転を通じて、図２のシールアセンブリについて摩擦係数を示す図である。
【図４】本明細書に開示されるガスタービンエンジン用のシールアセンブリの簡略化された断面図である。
【図５】シールおよびシールシートの材料に起因する慣らし段階を経ずに定常状態動作を示す図４のシールについて摩擦係数を示す図である。
【発明を実施するための形態】
【００１１】
本開示は、ガスタービンエンジン用のシールアセンブリに関し、より詳細には、ガスタービンエンジンのオイルシール用の炭素シールアセンブリに関する。
【００１２】
図１は、ガスタービンエンジンの一部の断面図であり、そのようなエンジンの典型的な構成要素を示す。本開示の関心の対象となるのは、エンジンの様々な作動している構成要素が結合される回転シャフト１０と、構造１０と連携して所望の機能を実行する固定構造１２、１４、１６、１８とである。エンジンの他の特徴については、本開示に関連する特徴に注目させるために、図１の図から取り除かれているか、または簡単な略図に要約されている。
【００１３】
このような設定では、図１は、前部シールアセンブリ２０および後部シールアセンブリ２２を示し、これらのそれぞれが、シールを通るオイルの漏れまたは流れを防止し、それによって、ガスタービンエンジン内の希望されかつ必要とされる場所にオイルを維持する働きをする。
【００１４】
シールアセンブリ２０は、前部シールシート２４および炭素シール２６によって画定される。炭素シール２６は、回転要素１０およびシールシート２４に対して静止したままである。図１に示すように、これらの構成要素の各々はシール面２８、３０を有し、これらが一緒になってシールを画定する。これらの面２８、３０は互いに対して摺動し、これらの面を通るオイルの漏れを防ぐ。同様に、シールアセンブリ２２は、後部シールシート３２および炭素シールアセンブリ３４によって画定され、これらの各々は、これらの表面を通るオイルの漏れを防ぐためのシール面３６、３８を画定する。
【００１５】
図２は、面３６、３８を含む炭素シール３４およびシールシート３２の部分を示す。この知られている構成のシールシート３２は、典型的には、ＡＭＳ６４９０／６４９１、ＡＭＳ６３２２、またはＡＭＳ６３２３などのＦｅ系合金などの材料で形成され、このシールシート３２は、シールシート３２に被着されるＰＷＡ５０材料などの追加の材料を有してもよく、または有さなくてもよい。いずれにしても、シールシートの材料は、炭素シールに対して比較的高い摩擦係数で始まり、これは、慣らし段階が完了するまで継続する。図示のように、炭素シール３４は未処理のシールシート３６に隣接して配置され、このシールアセンブリの初期動作は、図３に示すように、面の間の摩擦係数が相対的に高く始まり、徐々に減少する上記の慣らし段階をもたらす。図２の右側部分に示す画像は、慣らし段階後のシールアセンブリ２２を示す。この段階で、薄い転写膜４０が炭素シール３４からシールシート３２のシール面３６に転写されている。この膜４０が面３６に転写されてしまえば、シールアセンブリ２２は、シールアセンブリの残りの寿命の間は、定常状態条件で動作し、図３は、慣らし段階中に存在していたよりも相対的に低い摩擦係数を有したシールアセンブリの動作のこの部分を示す。
【００１６】
図２は、炭素シール３４に設けることができる膜コントローラ４２を有した炭素シール３４を示す。これらの膜コントローラ４２は、転写膜４０の厚さの過剰な堆積を防止し、それによって、一方の側の炭素シール３４と他方の転写膜４０とによって画定される所望の炭素−炭素摺動面を維持する働きをする。
【００１７】
図４および図５は共に、シールが作られる材料と同じかまたは同様の炭素系材料製の少なくともシール面３６を含むシールシートが作成されたシールアセンブリを示す。したがって、シール面３６、３８は、同様の炭素系材料で作られ、シールアセンブリの初期接触から全寿命を通して非常に低い摩擦係数を有する。定常状態の動作中に、転写膜４４がシールシートの表面３６を覆ってなおも被着される。ただし、この転写膜４４は、シールと同じ材料であり、そのため、引き続き所望の低い摩擦係数を有する。したがって、図５に示すように、動作は定常状態段階で実質的に即座に開始し、シールアセンブリの全寿命の間、そのような定常状態段階で動作は継続する。
【００１８】
図４は、炭素シール３４と重なるように、シールシート、例えば凹部または受け口４８に取り付けられた炭素系材料のブロック４６を示す。あるいは、シールシート全体をこの同じ材料から作成してもよい。したがって、シールアセンブリの動作が開始するとき、炭素シールと炭素シールシートとの間の炭素−炭素間相互作用のために、摩擦係数はすでに低い。このシールアセンブリの定常状態動作により、炭素材料の転写膜が少なくともある程度は炭素系シールシート上に配置される結果となり、この定常状態動作により、関連した構成要素の耐用寿命が長期化するようになる。このことは図５に示しており、定常状態の動作は、有意な慣らし段階なしで、実質的に即座に開始し、定常状態での摩擦係数は、図３に示すものと比較して相対的に低い。図４に示すシールアセンブリを有したガスタービンエンジンの運転中に、転写膜は、炭素シール３４からＤＬＣ薄膜４４を覆って最終的にさらに堆積され、この転写膜の厚さはまた、例えば、膜コントローラ４２によって制御される。この膜コントローラ４２は、本開示のこの態様に従って、炭素シール３４内に存在させることができる。
【００１９】
炭素シール３４は、エレクトログラファイト級の炭素であるＦＴ２６５０などの好適なエレクトロ炭素（electrocarbon）から提供され得る。シールシートは、通常は、同じ材料から提供され得る。このことは、慣らし段階を伴わずに、０．１未満の初期摩擦係数という結果をもたらす。代替形態として、炭素シール３４を、Ｐ−４２２９などの炭素−グラファイト級から提供してもよく、これを、同じ材料から作られたシールシートのシール面に当接させてもよい。これにより、この場合もやはり慣らし段階を伴わずに、０．１２未満の初期摩擦係数がもたらされる。
【００２０】
再び図１を参照すると、シール２６、３４は、構造１２、１８などのいずれかの好適な構造またはシール保持具に固定することによって、ガスタービンエンジンに取り付けることができることを理解されたい。さらに、シールシート２４、３６は、回転性要素１０が回転したときに、シール面２８、３０、および３６、３８がそれぞれ互いに近接して摺動するように、回転部材１０に適切に取り付けることができる。
【００２１】
図４および図５の図は、後部シールアセンブリに関して提示されていることを理解されたい。前部シールアセンブリのための同じ構成要素の図は、構造は同じであるが左から右へと反転するため、本明細書では提供されない。
【００２２】
本開示による、シールと同様の炭素系材料からのシールシート、または少なくともシールシートのシール面の作成は、例えば、２００〜３５０°Ｆの間で、高い摺動速度の下に、効果的に動作し得る、低摩擦および耐摩耗性の炭素ベースのシール界面を生じさせることを理解されたい。このことは、摩擦係数が低下し、慣らし段階が改善されることによって、表面下の加熱（例えば摩擦加熱に起因した加熱）を減少させることができ、結果としてシールシステムの長期的な耐摩耗性を改善する。
【００２３】
上記のように、シールと適合するように炭素系材料からシールシートを製造することにより、動作開始時から低摩擦の炭素−炭素界面が形成され、したがって非常に短い慣らし段階を生じさせる。初期動作の間中、転写された膜は依然としてシールシート上に形成されており、この構成はシールの定常状態の動作を通して維持される。
【００２４】
本明細書に開示されるシールアセンブリによって生じる低摩擦および耐摩耗性は、例えばガスタービンエンジンのベアリングシール、および他の場所でも同様に有用であり得、エンジン構成要素の耐久寿命を大幅に延ばし得ることを理解されたい。さらに、本明細書に開示されるシールアセンブリの利用は、摩耗および熱損傷が原因で早くに取り除かれるパーツの数を減らすことによって、全体的なコストを大幅に削減することができる。
【００２５】
初期に予め薄膜状に覆うステップのないシールアセンブリと比較して、慣らし段階の長さとシール構成要素への影響とが低減されるとともに、シールアセンブリの定常状態性能が改善されるシールアセンブリおよび方法が提供されている。シールアセンブリ方法およびシールアセンブリ品は、その特定の実施形態との関連で説明されたが、上記の説明を読んだ当業者にとっては、他の予期しない代替、修正、および変形が明らかになる可能性がある。したがって、添付の特許請求の範囲の広い範囲に入るそれらの代替、修正、および変形を包含することが意図されている。
【図１】
2020045902.tif 000003
【図２】
2020045902.tif 000004
【図３】
2020045902.tif 000005
【図４】
2020045902.tif 000006
【図５】
2020045902.tif 000007
【外国語明細書】
2020045902000001.pdf